(57)【特許請求の範囲】
【請求項１】
筒状フィルム（Ａ１）と、筒状フィルム（Ａ１）の下端部に固着した底蓋（Ａ２）と、筒状フィルム（Ａ１）の上端部に固着した容器口部（Ａ３）とからなり、底蓋（Ａ２）は、外周に筒状フィルム（Ａ１）の下端部を固着した下部固定筒（１０）の内面に底板（１１）を延設して構成し、容器口部（Ａ３）は、外周に筒状フィルムの上端部を固着した上部固定筒（２０）の内面より延設したフランジ（２１）を介して口頸部（２２）を起立して構成したレフィル容器であって、底蓋（Ａ２）の下部固定筒（１０）の上面と、容器口部（Ａ３）の上部固定筒（２０）の下面とに、それぞれ複数で且つ同数の下部突部（１２）及び上部突部（２５）を突設したことを特徴とするレフィル容器。
【請求項２】
口頸部（２２）内周下部より、装着するポンプ（Ｃ）のシリンダ（６１）外周に密嵌するテ−パ状のシール筒（２４）を垂設した請求項１記載のレフィル容器。
【請求項３】
各上部突部（２５）の突設位置が、各下部突部（１２）の垂直上方よりもズレた位置にある請求項１又は請求項２のいずれか１項に記載のレフィル容器。
【請求項４】
各下部突部（１２）の一側面が傾斜面（ｆ２）であり、各上部突部（２５）の他側面が傾斜面（ｆ３）である請求項３記載のレフィル容器。
【発明の詳細な説明】
【技術分野】
【０００１】
本発明は、化粧品、薬品、その他のクリーム状、または粘性液状の内容物の吐出可能なレフィル容器に関するものである。
【背景技術】
【０００２】
レフィル容器を外容器に収納し口部より注出したり、吐出ポンプを装着し内容液を吐出したりするレフィル容器は、従来より知られている（例えば、特許文献１参照）。
【０００３】
しかしながら、上記特許文献１記載のレフィル容器では、単純に外容器に収納し内容液を吐出し使用する場合は問題ないが、吐出ポンプを装着して内容液を吐出する場合、底蓋の断面形状が逆Ｕ字状であるので、内容液が吐出され内容器がつぶれていくと、底蓋が大きく傾きスムースに内容液が吐出されないという問題があった。そこでこの様な問題を解決すべく、本出願人は既に優れたレフィル容器を提案している。（特許文献２）
【０００４】
特許文献２のレフィル容器は外容器に収納して吐出ポンプを装着して内容液を吐出する場合、底蓋が極端に傾くことなく上昇し、内容器がスムースにつぶれるように構成された優れたものである。
【先行技術文献】
【特許文献】
【０００５】
【特許文献１】特開平１１−３０１７３２号公報
【特許文献２】特開２００８−２７３５５６号公報
【発明の概要】
【発明が解決しようとする課題】
【０００６】
本発明は上記特許文献２の優れたレフィル容器を更に改良したものであり、底蓋上昇の際の傾きを更になくすことができ、更なる円滑な液の吐出が行えるレフィル容器を提案するものである。
【課題を解決するための手段】
【０００７】
第１の手段として、以下の通り構成した。即ち、筒状フィルムA1と、筒状フィルムA1の下端部に固着した底蓋A2と、筒状フィルムA1の上端部に固着した容器口部A3とからなり、底蓋A2は、外周に筒状フィルムA1の下端部を固着した下部固定筒10の内面に底板11を延設して構成し、容器口部A3は、外周に筒状フィルムの上端部を固着した上部固定筒20の内面より延設したフランジ21を介して口頸部22を起立して構成したレフィル容器であって、底蓋A2の下部固定筒10の上面と、容器口部A3の上部固定筒20の下面とに、それぞれ複数で且つ同数の下部突部12及び上部突部25を突設した。
【０００８】
第２の手段として、以下の通り構成した。即ち、前記第１の手段に於いて、口頸部22内周下部より、装着するポンプＣのシリンダ61外周に密嵌するテ−パ状のシール筒24を垂設した。
【０００９】
第３の手段として、以下の通り構成した。即ち、前記第１の手段又は第２の手段のいずれかの手段に於いて、各上部突部25の突設位置が、各下部突部12の突設位置の垂直上方よりもズレた位置にある。
【００１０】
第４の手段として、以下の通り構成した。即ち、第３の手段に於いて、各下部突部12の一側面が傾斜面f2であり、各上部突部25の他側面が傾斜面f3である。
【発明の効果】
【００１１】
本発明によればポンプＣによる内容液吸上げにあたって、下部突部12間から上部突部25間に至る縦長の凹部が周方向複数形成されて筒状フィルムA1が均等に凹まされるため底蓋A2の傾きを少なくすることができ、内容液をスムースに吐出できる。
【００１２】
口頸部22内周下部より、装着するポンプＣのシリンダ61外周に密嵌するテ−パ状のシール筒24を垂設した場合には、ポンプＣを装着した際に、レフィル容器Ａ内をより確実に密閉することができ、また、レフィル容器Ａの交換の際にはシリンダ61外周に付着した残液をそぎ落とすことができる利点もある。
【００１３】
各上部突部25の突設位置が、各下部突部12の垂直上方よりもズレた位置にある場合には内容液吸上げ時に形成される各縦長な凹部が斜めに湾曲したものとなり、筒状フィルムA1が中心に向かって規則的な凹みが形成されて底蓋の傾きを少なくすることができ、内溶液をスムースに吐出できる。
【００１４】
各下部突部12の一側面が傾斜面f2であり、各上部突部25の他側面が傾斜面f3である場合には、上下の傾斜面f3、f2間で斜めの縦長な凹部をより形成させ易くなる。
【図面の簡単な説明】
【００１５】
【図１】レフィル容器の半断面図である。（実施例１）
【図２】下部突部及び上部突部の配置を示す説明図である。（実施例１）
【図３】レフィル容器に外容器とポンプを装着した状態の縦断面図である。（実施例１）
【図４】図４の内容物を一部吐出した状態を示す縦断面図である。（実施例１）
【発明を実施するための形態】
【００１６】
以下、本発明の形態を図面を参照して説明する。
【００１７】
図１はレフィル容器Ａの一例を示し、レフィル容器Ａは、筒状フィルムA1と、底蓋A2と、容器口部A3と、キャップA4とを備えている。
【００１８】
筒状フィルムA1は合成樹脂製で、容器の胴部を構成するものであり、収容液の減少に伴って変形が可能な可撓性を備えている。
【００１９】
底蓋A2は合成樹脂製で、外周に筒状フィルムA1の下端部を固着した下部固定筒10と、下部固定筒10の内面上下方向中央より延設した底板11とを備え、下部固定筒10の上面の周方向等間隔な４個所に下部突部12を突設している。各下部突部12は、一側面が垂直面f1で他側面が傾斜面f2をなしており、外面を筒状フィルムA1に固着している。筒状フィルムA1と下部固定筒10との固着手段としては、接着、溶着等の適宜固着手段を採用でき、後述する筒状フィルムA1と上部固定筒との固着手段も同様である。
【００２０】
容器口部A3は合成樹脂製で、外周に筒状フィルムA1の上端部を固着した上部固定筒20と、上部固定筒20の内面下部より延設したフランジ21と、フランジ21の内周縁より上方に立設した口頸部22とを備えている。また、上部固定筒20の外面の周方向等間隔な４個所に係合突部23を突設しており、口頸部22の上部外周には螺条を周設している。また、口頸部22の内面下部にはテ−パ筒状のシール筒24を垂設している。
【００２１】
更に、上部固定筒20の下面の周方向等間隔な４箇所に上部突部25を突設している。各上部突部25は一側面が傾斜面f3で他側面が垂直面f4をなしている。また、各下部突部12と各上部突部25とは、図２に示す如く、上下で周方向にズレた位置にそれぞれ突設されている。換言すれば、各上部突部25の突設位置が、各下部突部12の突設位置の垂直上方よりもズレた位置にある。尚、各下部突部12と各上部突部25の位置が周方向同じ位置、即ち、各下部突部12の垂直上方にそれぞれ各上部突部25が突設されていても良い。上記下部突部12及び上部突部25はそれぞれ複数突設し、また、下部突部12の数と上部突部25の数とは同数とする。また、下部突部12と上部突部25の形状は上記例では正面視台形状に形成されているがこれに限られない。例えば、正面視矩形状であっても良く、但し、下部固定筒10の上面及び上部固定筒20下面に位置し、外面を下部固定筒10或いは上部固定筒20の外面と同一平面上にあるものが好ましい。
【００２２】
キャップA4は、口頸部22外周に螺着した周壁の上端より頂壁を延設した伏せ皿状をなしている。
【００２３】
上記の如きレフィル容器Ａは、図３及び図４に示す如く、外容器Ｂ及びポンプＣを装着して使用する。
【００２４】
外容器Ｂは、容器本体B1と、固定キャップB2とからなり、容器本体B1は、底壁40周縁部より周壁41を起立した上端開口の有底筒状をなし、周壁41の外周上部に螺条を周設している。また、周壁41の上面の周方向等間隔な４個所に係止凹部42を凹設している。固定キャップB2は、容器本体周壁41の外周上端部に螺着させた嵌合筒50の上端よりフランジ状の頂板51を延設し、フランジ状の頂板51の内周縁より支持筒52を起立している。支持筒52の外周には螺条を周設している。
【００２５】
そして、キャップA4を外したレフィル容器Ａの底蓋A2及び筒状フランジ21を外容器Ｂ内に挿入し、容器口部A3の各係合突部23を各係止凹部42に係合させて外容器Ｂにレフィル容器Ａを嵌合し、次いで固定キャップB2の嵌合筒50を容器本体B1の外周上端部に螺着するとともに、支持筒52を口頸部22外周に嵌合させて外容器Ｂにレフィル容器Ａを装着している。
【００２６】
ポンプＣは、装着キャップ60と、シリンダ61と、パイプ62と、作動部材63とを備え、作動部材63の上下動により内蔵ポンプ機構の作用でパイプ62の下端より吸い上げた液を作動部材63の上端を構成する吐出ヘッド64の吐出口65より吐出する如く構成した公知機構のものが使用されている。
【００２７】
図示例に於いて装着キャップ60は、支持筒52外周に嵌合する周壁部70の上端よりフランジ状の頂壁部71を延設し、頂壁部71の上面には案内筒72を起立している。また、シリンダ61は、外周上部に突設したフランジ部73を装着キャップ60の頂壁部71裏面に固定して一体化しており、下端にはパイプ62の上端を嵌着させている。作動部材63はシリンダ61内を摺動するピストン（図示せず）を下端に連繋させたステム74の上端に吐出ヘッド64を嵌着して上方付勢状態で上下動可能にシリンダ61に対して装着している。
【００２８】
そして、上方よりパイプ62及びシリンダ61を口頸部22内に挿入垂下し、装着キャップ60の周壁部70を固定キャップB2の支持筒52外周に螺合させてポンプＣを装着している。この際、シール筒24はシリンダ61の外周に密嵌する。尚、Ｄはオーバーキャップを示す。
【００２９】
外容器Ｂ及びポンプＣを装着したレフィル容器Ａの作用について説明する。図３の状態からオーバーキャップＤを外し、吐出ヘッド64を上下動させるとレフィル容器Ａ内の液がパイプ62より吸い上げられ、吐出ヘッド64の吐出口65より吐出される。液の吐出に伴ってレフィル容器Ａ内は減容し、最初底蓋A2が上昇するが、その際同時に下部突部12間と上部突部25間との間に、図４に２点鎖線で示す如く、斜めに湾曲した縦長帯状の凹部が周方向複数形成される如く筒状フィルムA1が収縮し始める。これらの縦長帯状の凹部により底蓋A2が傾くことなく上昇し、一定の位置まで上昇する。
【００３０】
次いで、内容液の吸上げに応じて減容し、筒状フィルムA1が潰されていくので、ポンプＣによる吸上げが、バランスよくスムーズに行われる。
【符号の説明】
【００３１】
Ａ…レフィル容器
A1…筒状フィルム
A2…底蓋
10…下部固定筒、11…底板、12…下部突部、f1…垂直面、f2…傾斜面
A3…容器口部
20…上部固定筒、21…フランジ、22…口頸部，23…係合突部、24…シール筒、
25…上部突部、f4…垂直面、f3…傾斜面
A4…キャップ
Ｂ…外容器
B1…容器本体
40…底壁、41…周壁、42…係止凹部
B2…固定キャップ
50…嵌合筒、51…頂板、52…支持筒
Ｃ…ポンプ
60…装着キャップ、61…シリンダ、62…パイプ、63…作動部材、64…吐出ヘッド、
65…吐出口、70…周壁部、71…頂壁部、72…案内筒、73…フランジ部、74…ステム
Ｄ…オーバーキャップ
【図１】
0005447976.tif 000002
【図２】
0005447976.tif 000003
【図３】
0005447976.tif 000004
【図４】
0005447976.tif 000005